(57)【要約】    【課題】突刺ピン及びこれが係合する衣類が共に損傷を受けることのないピンオンリールの提供。    【解決手段】このピンオンリール１０は、リール１１と取付部１２とを有する。リール１１は、引出自在に内装された引出糸１５を有する。引出糸１５の先端にスナップ１６が取り付けられている。取付部１２は、リール１１に突設された突片２５に回動自在に嵌め込まれている。取付部１２は、フレーム３３を有し、フレーム３３は貫通孔４１を備える。突片２５は、この貫通孔４１に挿通されている。組立ねじ２７が突片２５に挿通されている。組立ねじ２７の頭部４４は、貫通孔４１に嵌め込まれ、フレーム３３の抜け止めを行う。【選択図】図２
2005210933.tif 000002
【特許請求の範囲】
【請求項１】
ケーシングと、ケーシングから引出自在に設けられた引出糸と、引出糸の先端に設けられたスナップとを有するリールと、
ケーシングの表面又は裏面のいずれか一方に配置されたフレームと、フレームに設けられた突刺ピンとを有する取付部とを備え、
上記ケーシングは、上記フレームが配置された面に突設されたフレーム保持軸を有し、当該フレーム保持軸は、上記フレームを回転自在に保持しているピンオンリール。
【請求項２】
上記フレーム保持軸は、上記フレームに遊嵌状態で貫通しており、
上記フレームが上記フレーム保持軸から抜脱するのを規制するリテーナが設けられている請求項１に記載のピンオンリール。
【発明の詳細な説明】
【技術分野】
【０００１】
本発明は、例えば魚釣り等において釣人が魚釣用小道具を携帯しておくためのピンオンリールに関するものである。
【背景技術】
【０００２】
例えば魚釣りの際に釣人は、ラインカッターや針外し等の魚釣用小道具を常時携帯しておくのが便利である。このため、従来から魚釣用小道具を衣類（ライフジャケット等）に装着しておくためにピンオンリールが提供されている（例えば、特許文献１参照）。従来のピンオンリールは、一般に図４のような構成である。同図において（ａ）は正面図、（ｂ）は側面図である。
【０００３】
同図が示すように、ピンオンリール１は、ステンレス鋼等により形成されたケーシング２を備えている。ケーシング２内には、引出糸が予め巻き取られたスプール（図示せず）が内蔵されており、この引出糸の先端に小道具を取り付けるためのスナップ３が取り付けられている。通常、ケーシング２には取付ピン４（一般に安全ピン）が設けられており、ピンオンリール１は、この取付ピン４が衣類（ライフジャケット等）に突き刺されることによって固定されるようになっている。
【０００４】
上記引出糸は、上記スプールに対して常時巻き取られる方向（ケーシング２内に引き戻される方向）に弾性的に引っ張られている。このため、釣人は、スナップ３に取り付けられた魚釣用小道具を使用する際には、引出糸を矢印５の方向に手で引っ張ってケーシング２から引き出す。魚釣用小道具が使用された後は、釣人は引出糸を放すことによって、引出糸は、自動的に引き戻されてケーシング１内に巻き戻される。
【０００５】
【特許文献１】特開２００２−２３５２２５号
【発明の開示】
【発明が解決しようとする課題】
【０００６】
ところで、従来のピンオンリール１では、取付ピン４がケーシング２に固定されているから、引出糸が取付ピン４の長手方向（同図では、矢印５の方向）に沿って引き出される場合には問題が生じないが、引出糸が当該方向と交差する方向に引き出された場合は、取付ピンが捩られて変形したり、あるいは衣類が損傷を受けるおそれがあった。
【０００７】
そこで、本発明の目的は、取付ピン及びこれが係合する衣類が共に損傷を受けることのないピンオンリールを提供することである。
【課題を解決するための手段】
【０００８】
(1) 上記目的が達成されるため、本発明に係るピンオンリールは、ケーシングと、ケーシングから引出自在に設けられた引出糸と、引出糸の先端に設けられたスナップとを有するリールと、ケーシングの表面又は裏面のいずれか一方に配置されたフレームと、フレームに設けられた突刺ピンとを有する取付部とを備え、上記ケーシングは、上記フレームが配置された面に突設されたフレーム保持軸を有し、当該フレーム保持軸は、上記フレームを回転自在に保持していることを特徴とするものである。
【０００９】
この構成によれば、取付部の突刺ピンが例えば衣類に差し込まれることによって、リールが当該衣類に取り付けられる。引出糸が突刺ピンの軸方向と交差する方向に引っ張られた場合は、取付部のフレームとリールのケーシングとの間に捻れが生じることになるが、フレームがケーシングに対して回転することができるので、両者間に捻り力が付加されることはない。
【００１０】
(2) 上記フレーム保持軸は、上記フレームに遊嵌状態で貫通しており、上記フレームが上記フレーム保持軸から抜脱するのを規制するリテーナが設けられている構造が採用され得る。
【００１１】
この構成では、上記フレームは、上記ケーシングに回動自在に設けれられており、しかも、リテーナによって抜け止めがなされる。したがって、きわめて簡単な構造により、上記フレームが上記ケーシングに取り付けられる。
【発明の効果】
【００１２】
以上のように本発明によれば、ピンオンリールから引出糸が引き出されたときに、衣類等に差し込まれた突刺ピンに捩り力が加わることはないから、取付部やリールが損傷することはなく、また、突刺ピンが差し込まれた衣類が損傷を受けることもない。
【発明を実施するための最良の形態】
【００１３】
以下、適宜図面が参照されつつ、好ましい実施形態に基づいて本発明が詳細に説明される。
【００１４】
図１は、本発明の一実施形態に係るピンオンリールの正面図であり、図２は、一部断面側面図である。また、図３は、ピンオンリールの分解斜視図である。
【００１５】
このピンオンリール１０は、例えば釣人が釣りの際に使用するものであって、実釣において必要と考えられる小道具を保持する。ピンオンリール１０は、通常、釣人が着用するライフジャケット等に取り付けられる。
【００１６】
ピンオンリール１０は、リール１１と取付部１２とを有する。
図３が示すように、リール１１は、ケーシング１３と、スプール１４と、引出糸１５及びこの先端に設けられたスナップ１６と、渦巻きバネ１７とを備えている。
【００１７】
ケーシング１３は、ケーシング本体１３ａ及び蓋部材１３ｂとを有する。これらは、例えば樹脂、金属等により構成される。ケーシング本体１３ａは、同図が示すように器状に形成されており、内部にスプール１４が収容される収容空間１８が区画されている。ケーシング本体１３ａの底面部１９の略中央部には、スプール支持軸２０が立設されている。このスプール支持軸２０には、軸方向に沿ってねじ孔２１が形成されていると共に、バネ係止溝２２が形成されている。また、ケーシング１３の開口周縁部には段部２３が形成されている。
【００１８】
一方、蓋部材１３ｂは円盤状に形成されており、ケーシング本体１３ａの開口部に嵌め込まれるようになっている。この蓋部材１３ｂの周縁部にも段部２４が形成されており、この段部２４が上記ケーシング本体１３ａに設けられた段部２３と嵌合するようになっている。また、図２が示すように、蓋部材１３ｂの内面の中央部には、凹部１３ｃが設けられており、蓋部材１３ｂがケーシング本体１３ａに嵌め込まれた状態で、上記スプール支持軸２０がこの凹部１３ｃに嵌め込まれる。これにより、ケーシング１３が組み立てられた場合の剛性が向上する。
【００１９】
さらに、図２及び図３が示すように、蓋部材１３ｂの外面の中央部には、円柱状の突片２５（フレーム保持軸）が形成されている。この突片２５には貫通孔２６が設けられている。この貫通孔２６の中心は、上記凹部１３ｃの中心と一致されており、したがって、上記スプール支持軸２０及び突片２５は、同一の中心軸を有する。もっとも、突片２５の中心軸線は、上記スプール支持軸２０の中心軸線と一致する必要はなく、突片２５の中心軸線が上記スプール支持軸２０の中心軸線に沿って配置されていればよい。また、上記貫通孔２６には後述される組立ねじ２７が挿通されるようになっており、突片２５は、この組立ねじ２７が当接する座部を構成している。
【００２０】
スプール１４は、ボビン状に形成されており、樹脂、金属等により構成される。スプール１４の壁面の中央部には、貫通孔３１が設けられている。引出糸１５は、このスプール１４に予め巻回されている。引出糸１５としては、典型的には細径のワイヤーが採用され得るが、ナイロン糸等も採用され得る。この引出糸１５は、上記ケーシング本体１３ａに設けられた糸挿通孔２９に挿通され、ケーシング本体１３ａの外部に導き出されている。引出糸１５の先端に設けられたスナップ１６は既知の構造であり、釣人が係止片２８を摘むことによってスナップ１６が開閉する。釣人は、この係止片２８にラインカッター等の小道具を装着することができる。
【００２１】
渦巻きバネ１７は、細長薄肉の金属板が渦巻き状に巻回されることによって形成されている。この渦巻きバネ１７の先端部３０は上記スプール１４の内壁面に固着されている。渦巻きバネ１７は、スプール１４の内側に挿入され、スプール１４と共に上記ケーシング本体１３ａに嵌め込まれる。このとき、上記スプール支持軸２０がスプール１４の貫通孔３１を貫通する。そして、渦巻きバネ１７の基端部３２は、スプール支持軸２０に設けられたバネ係止溝２２に嵌め込まれて固定される。
【００２２】
渦巻きバネ１７の巻回方向は、スプール１４が引出糸１５を巻き取る方向と逆方向に設定されている。したがって、スプール１４から引出糸１５が引き出されることによってスプール１４が所定方向（図３では、向かって右回転）に回転し、これにより、渦巻きバネ１７は、当該巻回方向にさらに回転される。その結果、スプール１４は、反所定方向（図３では、向かって左回転）に弾性的に回転付勢されるから、引出糸１５は、常時スプール１４に巻き取られる方向に付勢されていることになる。
【００２３】
次に、取付部１２は、フレーム３３と、フレーム３３に設けられた突刺ピン３４と、上記組立ねじ２７とを備えている。
【００２４】
フレーム３３は、平板状のベース３５と、ベース３５の一端部に設けられたピン保持部３６と、ベース３５の他端部に設けられたピン係止部３７とを備えている。これらは、樹脂等により一体的に形成されている。ピン保持部３６は保持軸３８を有し、上記突刺ピン３４の基端部３９は、この保持軸３８に回転自在に支持されている。一方、ピン係止部３７にはピン挿通溝４０が設けられており、このピン挿通溝４０に連続して、図示されていないピン収容部が形成されている。したがって、突刺ピン３４が回転され、その先端部がピン挿通溝４０からピン収容部に案内されることによって、図１が示すように、突刺ピン３４がフレーム３３に保持される。
【００２５】
ベース３５の中央部には貫通孔４１が設けられている。この貫通孔４１は、段付形状を呈しており、大径部４２及びこれに連続して大径部４２を縮径するように形成された小径部４３とを備えている。この大径部４２には、上記組立ねじ２７の頭部４４が嵌め込まれるようになっている。
【００２６】
組立ねじ２７は、軸部４５と上記頭部４４とを有している。軸部４５の外径寸法は、上記ケーシング本体１３ａに設けられたねじ孔２１の内径寸法に対応されている。また、軸部４５には雄ねじが形成されており、したがって、組立ねじ２７は、上記ねじ孔２１に螺合されるようになっている。組立ねじ２７の頭部４４は、円盤状に形成されており、その外径寸法は、上記ベース３５に設けられた貫通孔４１の大径部４２の内径寸法に対応されている。したがって、この頭部４４は、上記大径部４２に嵌合することができる。
【００２７】
ピンオンリール１０は、次の要領で組み立てられる。
まず、リール１１は、前述のように渦巻きバネ１７がスプール１４に固定され、両者がケーシング本体１３ａに嵌め込まれる。このとき、ケーシング本体１３ａのスプール支持軸２０がスプール１４を貫通する。この状態で、上記蓋部材１３ｂがケーシング本体１３ａに嵌め込まれる。なお、上記引出糸１５は、ケーシング本体１３ａから外部に導き出されている。
【００２８】
取付部１２のフレーム３３が上記蓋部材１３ｂに取り付けられる。このとき、蓋部材１３ｂの突片２５がフレーム３３の貫通孔４１に挿通される。そして、組立ねじ２７がフレーム３３、蓋部材１３ｂ及びスプール１４を貫通し、ケーシング本体１３ａのねじ孔２１にねじ込まれる。組立ねじ２７がねじ込まれると、図２が示すように、その頭部４４がフレーム３３の貫通孔４１に嵌め込まれるが、この貫通孔４１には上記突片２５が嵌め込まれているから、組立ねじ２７の頭部４４は、この突片２５の端面に当接する。
【００２９】
この状態では、上記フレーム３３は、単に上記突片２５に嵌め込まれているだけである。しかも、組立ねじ２７の頭部４４がフレーム３３の貫通孔４１に嵌め込まれているから、この頭部４４によってフレーム３３は突片２５から抜け落ちることはない。換言すれば、上記フレーム３３は、上記突片２５に回動自在に遊嵌支持されており、且つ組立ねじ２７の頭部４４がフレーム３３の抜け止めを行うリテーナとして機能している。
【００３０】
本実施形態に係るピンオンリール１０は、突刺ピン３４が釣人が着用するライフジャケットの生地に差し込まれることによって、このライフジャケットに取り付けられる。釣人は、スナップ１６に必要な小道具を取り付けておくことによって、所要時に引出糸１５を引っ張るだけで、快適に小道具を使用することができる。
【００３１】
図２が示すように、取付部１２は、突片２５に嵌め込まれており、突片２５の中心軸線まわりに自由に回転することができる。したがって、引出糸１５が引っ張られることによって、リール１１は、突片２５を回転中心軸として引出糸１５が引っ張られる方向に回転する。その結果、取付部１２に捻り力が作用することはなく、取付部１２及びライフジャケットの生地が損傷を受けることはない。
【００３２】
本実施形態では、取付部１２のフレーム３３が上記突片２５に回転自在に嵌め込まれ、且つ組立ねじ２７の頭部４４によって抜け止めが図られている。すなわち、かかる簡単な構造によって取付部１２の回転が許容されているので、ピンオンリール１０の製造コストが大幅に上昇することはないという利点がある。なお、取付部１２がリール１１に対して回転自在に取り付けられる構造は、上記構造に限定されるものではなく、他の種々の構造が採用され得ることは勿論である。
【産業上の利用可能性】
【００３３】
本発明は、小道具を保持し衣類等に装着されるピンオンリールに適用され得る。
【図面の簡単な説明】
【００３４】
【図１】図１は、本発明の一実施形態に係るピンオンリールの正面図である。
【図２】図２は、本発明の一実施形態に係るピンオンリールの一部断面側面図である。
【図３】図３は、本発明の一実施形態に係るピンオンリールの分解斜視図である。
【図４】図４は、従来のピンオンリールの構成を示す正面図（ａ）及び側面図（ｂ）である。
【符号の説明】
【００３５】
１０・・・ピンオンリール
１１・・・リール
１２・・・取付部
１３・・・ケーシング
１３ａ・・・ケーシング本体
１３ｂ・・・蓋部材
１４・・・スプール
１５・・・引出糸
１６・・・スナップ
１７・・・渦巻きバネ
２０・・・スプール支持軸
２１・・・ねじ孔
２５・・・突片
２６・・・貫通孔
２７・・・組立ねじ
２８・・・係止片
３１・・・貫通孔
３３・・・フレーム
３４・・・突刺ピン
３５・・・ベース
３６・・・ピン保持部
３７・・・ピン係止部
３８・・・保持軸
４０・・・ピン挿通溝
４１・・・貫通孔
４２・・・大径部
４３・・・小径部
４４・・・頭部
４５・・・軸部
【図１】
2005210933.tif 000003
【図２】
2005210933.tif 000004
【図３】
2005210933.tif 000005
【図４】
2005210933.tif 000006